(57)【要約】【課題】本発明は、デイジーチェーン用圧接コネクタに関し、従来のデイジーチェーン用圧接コネクタにおいては、コンタクトデータム平面とケーブルデータム平面の配線方向とが直交していて、低背化できないことが課題であって、それを解決することである。【解決手段】コネクタハウジングのケーブル嵌合に設けられたコンタクト用の収納部に圧接コンタクトを圧入し装着し、当該ケーブル嵌合部にケーブル及びケーブルハウジングが圧入・装着されてなる圧接コネクタにおいて、複数併設されている前記圧接コンタクトにおける圧接部に圧接される複数のケーブルの中心線を含む基準面であるケーブルデータム平面と、複数併設されている前記圧接コンタクトにおける接続部の中心線を含む基準面であるコンタクトデータム平面とが平行になるように、前記圧接コンタクトの圧接部と接続部とが形成されているデイジーチェーン用圧接コネクタ１とする。【選択図】図１
2014220142.tif 000002
【特許請求の範囲】
【請求項１】
コネクタハウジングのケーブル嵌合に設けられたコンタクト用の収納部に圧接コンタクトを圧入し装着し、当該ケーブル嵌合部にケーブル及びケーブルハウジングが圧入・装着されてなる圧接コネクタにおいて、
複数併設されている前記圧接コンタクトにおける圧接部に圧接される複数のケーブルの中心線を含む基準面であるケーブルデータム平面と、
複数併設されている前記圧接コンタクトにおける接続部の中心線を含む基準面であるコンタクトデータム平面とが平行になるように、前記圧接コンタクトの圧接部と接続部とが形成されていること、
を特徴とするデイジーチェーン用圧接コネクタ。
【請求項２】
圧接コンタクトにおける圧接部は、圧接刃が対向配置にされるとともに１対で平行に併設され、その圧接スポットのケーブル挿入方向がケーブルデータム平面と直交する方向であること、
を特徴とする請求項１に記載のデイジーチェーン用圧接コネクタ。
【請求項３】
圧接コンタクトにおける接続部は、コンタクト片の接続面がコンタクトデータム平面と直交する方向において対向配置にされていること、
を特徴とする請求項１または２に記載のデイジーチェーン用圧接コネクタ。
【請求項４】
ケーブルを圧接する圧接部と、
前記圧接部から延設されて圧接コネクタのコネクタハウジングの圧接コンタクト用収納部に圧入される圧入部と、  
前記圧入部から延設されて対向配置にされたコンタクト片が相手方のコンタクトが挿入・接続される接続部とからなり、
デイジーチェーン用圧接コネクタの低背化に資する圧接コンタクトにおいて、
複数併設されている前記圧接コンタクトにおける圧接部に圧接される複数のケーブルの中心線を含む基準面であるケーブルデータム平面と、
複数併設されている前記圧接コンタクトにおける接続部の中心線を含む基準面であるコンタクトデータム平面とが平行になるように、前記圧接部と接続部とが形成されていること、
を特徴とする圧接コンタクト。
【発明の詳細な説明】
【技術分野】
【０００１】
本発明は、複数の機器を数珠繋ぎにしていく配線方法に使用されるデイジーチェーン用圧接コネクタと、それに内包される圧接コンタクトに関するものである。
【背景技術】
【０００２】
従来、デイジーチェーン用圧接コネクタは、図１１に示すように、プリント基板と複数の周辺機器との間を接続し、周辺機器の出力信号をプリント基板に入力させたり電源ケーブルを直列に接続させたりするワイヤーハーネスに使用するものが知られている。
【先行技術文献】
【特許文献】
【０００３】
【特許文献１】特開２００５−１７４５９７号公報
【発明の概要】
【発明が解決しようとする課題】
【０００４】
しかし、従来のデイジーチェーン用圧接コネクタ１１においては、図９（Ａ）に示すように、コンタクトデータム平面（複数のコンタクトの中心線ｂを含む基準面、以下同じ）が上下方向にあり、ケーブルデータム平面（複数のケーブル３の中心線ａを含む基準面、以下同じ）が左右方向にあって、互いに直交する方向にある。
【０００５】
このデイジーチェーン用圧接コネクタ１１における圧接コンタクト１２は、図１０に示すように、上下方向において、上から圧接部１２ａ、圧入部１２ｂ、接触部１２ｃと延在されていて、全体の背が高くなっている。よって、図１１（Ａ）に示すように、垂直嵌合でデイジーチェーン用圧接コネクタ１１を使用すると、プリント基板４上の背の高さ（Ｌ１）が高くなり、低背化が困難である。
【０００６】
また、図１１（Ｂ）に示すように、水平嵌合（ライトアングル嵌合）でプリント基板４の端で接続した場合、圧接コネクタ１１からのケーブル３の出しが上下になってしまい、ケーブル長が長くなってしまうのと、ケーブル３とプリント基板４とが互いに直交していて、プリント基板４平面内では衝突して干渉する。
【０００７】
よって、このデイジーチェーン用圧接コネクタ１１をプリント基板４の端で使用するしかなく、プリント基板４内で使用することができないという課題がある。本発明に係るデイジーチェーン用圧接コネクタと圧接コンタクトは、このような課題を解決するために提案されたものである。
【課題を解決するための手段】
【０００８】
本発明に係るデイジーチェーン用圧接コネクタの上記課題を解決して目的を達成するための要旨は、コネクタハウジングのケーブル嵌合に設けられたコンタクト用の収納部に圧接コンタクトを圧入し装着し、当該ケーブル嵌合部にケーブル及びケーブルハウジングが圧入・装着されてなる圧接コネクタにおいて、複数併設されている前記圧接コンタクトにおける圧接部に圧接される複数のケーブルの中心線を含む基準面であるケーブルデータム平面と、複数併設されている前記圧接コンタクトにおける接続部の中心線を含む基準面であるコンタクトデータム平面とが平行になるように、前記圧接コンタクトの圧接部と接続部とが形成されていることである。
【０００９】
前記圧接コンタクトにおける圧接部は、圧接刃が対向配置にされるとともに１対で平行に併設され、その圧接スポットのケーブル挿入方向がケーブルデータム平面と直交する方向であることである。
更に、前記圧接コンタクトにおける接続部は、コンタクト片の接続面がコンタクトデータム平面と直交する方向において対向配置にされていることを含むものである。
【００１０】
本発明に係る圧接コンタクトの要旨は、ケーブルを圧接する圧接部と、前記圧接部から延設されて圧接コネクタのコネクタハウジングの圧接コンタクト用収納部に圧入される圧入部と、前記圧入部から延設されて対向配置にされたコンタクト片が相手方のコンタクトが挿入・接続される接続部とからなり、デイジーチェーン用圧接コネクタの低背化に資する圧接コンタクトにおいて、複数併設されている前記圧接コンタクトにおける圧接部に圧接される複数のケーブルの中心線を含む基準面であるケーブルデータム平面と、複数併設されている前記圧接コンタクトにおける接続部の中心線を含む基準面であるコンタクトデータム平面とが平行になるように、前記圧接部と接続部とが形成されていることである。
【発明の効果】
【００１１】
本発明に係るデイジーチェーン用圧接コネクタによれば、コネクタの低背化が可能となる。これにより、プリント基板の内側でも基板端でも、この圧接コネクタの使用が可能となる、と言う優れた効果を奏するものである。更に、ケーブルが直線状にすっきりとハーネス化され、余分なケーブルを使用しないので、コスト削減になる。
【００１２】
本発明に係る圧接コンタクトによれば、低背化されたデイジーチェーン用圧接コネクタを形成することができる。
【図面の簡単な説明】
【００１３】
【図１】本発明に係るデイジーチェーン用圧接コネクタ１の正面側の斜視図（Ａ）、背面側の斜視図（Ｂ）である。
【図２】同本発明のデイジーチェーン用圧接コネクタ１におけるコネクタハウジング１ａの正面側の斜視図（Ａ）、背面側の斜視図（Ｂ）である。
【図３】同コネクタハウジング１ａの正面図（Ａ）、平面図（Ｂ）、側面図（Ｃ）、背面図（Ｄ）である。
【図４】図３（Ｂ）のＡ−Ａ線に沿った断面図（Ａ）、ケーブルハウジング１ｂを装着してデイジーチェーン用圧接コネクタ１となった状態のＡ−Ａ線に沿った断面図（Ｂ）である。
【図５】デイジーチェーン用圧接コネクタ１における圧接コンタクト２の正面側の斜視図（Ａ）、背面側の斜視図（Ｂ）である。
【図６】デイジーチェーン用圧接コネクタ１の使用状態の斜視図（Ａ）、コネクタハウジング１ａにケーブル３を圧接し装着する様子を示す斜視図（Ｂ）である。
【図７】デイジーチェーン用圧接コネクタ１とケーブル３とをプリント基板４に実装した状態を示す使用状態の正面図（Ａ）、平面図（Ｂ）、側面図（Ｃ）である。
【図８】デイジーチェーン用圧接コネクタ１をプリント基板４の端部で使用する場合の平面図（Ａ）、側面図（Ｂ）である。
【図９】従来例に係るデイジーチェーン用圧接コネクタ１１の使用状態の側面図（Ａ）、正面図（Ｂ）、平面図（Ｃ）、底面図（Ｄ）である。
【図１０】同デイジーチェーン用圧接コネクタ１１における圧接コンタクト１２の正面図である。
【図１１】同デイジーチェーン用圧接コネクタ１１をプリント基板４に実装した状態で、プリント基板の内部で垂直嵌合させた状態の説明図（Ａ）、プリント基板４の端部に取り付けた場合の説明図（Ｂ）である。
【発明を実施するための形態】
【００１４】
本発明に係るデイジーチェーン用圧接コネクタ１は、図１（Ａ），（Ｂ）に示すように、ケーブル３の中心線ａ，ａを含む面であるケーブルデータム平面と、圧接コンタクト２の中心線ｂ，ｂを含む面であるコンタクトデータム平面とを平行にしたことである。
【実施例１】
【００１５】
本発明に係るデイジーチェーン用圧接コネクタ１は、図１（Ａ）、（Ｂ）に示すように、コネクタハウジング１ａと、このコネクタハウジング１ａの圧接コンタクト２が装着されているケーブル嵌合部１ｃに圧入・装着されるケーブルハウジング１ｂとで構成されている。
【００１６】
前記コネクタハウジング１ａは、図２乃至図３に示すように、合成樹脂製の絶縁本体に、ケーブル嵌合部１ｃが後部上部側に開口して設けられ、そこに設けられる例えばコンタクト用の収納部に、圧接コンタクト２が圧入・装着されて固定されている。
【００１７】
本発明に係る前記圧接コンタクト２は、図４（Ｂ）と図５（Ａ），（Ｂ）に示すように、圧接部２ｃと圧入部２ｄとの距離が短い短首圧接コンタクト２ａと、距離の長い長首圧接コンタクト２ｂとからなる。前記短首圧接コンタクト２ａと長首圧接コンタクト２ｂとのそれぞれの圧接部２ｃが、前後方向に互い違いにされ千鳥配置にされる。図６（Ａ），（Ｂ）に示すように、２本のケーブル３を圧接して接続するためである。
【００１８】
前記圧接コンタクト２は、図５（Ａ），（Ｂ）に示すように、その圧接部２ｃが、圧接刃２ｇを、圧接スポット２ｆを挟んで対向配置にして形成されている。そして、当該圧接部２ｃが、一対で併設され、開口部を上にしたコ字型に形成されている。この圧接スポット２ｆの圧接方向が、図において上下方向である。
【００１９】
前記圧接スポット２ｆのケーブル挿入方向が、ケーブルデータム平面（複数のケーブル３の中心線ａを含む基準面）または接続部２ｅのコンタクト挿入方向に直交する方向となっている。
【００２０】
前記圧接コンタクト２の圧入部２ｄは、図５（Ａ），（Ｂ）に示すように、左右方向に開口したコ字型に形成されている。この圧入部２ｄが、デイジーチェーン用圧接コネクタ１のケーブル嵌合部１ｃにおける収納部に、圧入・装着されて固定されるものである。
【００２１】
前記接続部２ｅは、図５（Ａ），（Ｂ）に示すように、前後方向に伸びるコンタクト片２ｈが上下方向に対向配置にされ、コンタクト挿入方向が前後方向となっている。図示するように、接続部２ｅが、左右方向に併設されているので、コンタクトデータム平面（複数のコンタクトの中心線ｂを含む基準面）は左右方向となる。
【００２２】
これにより、圧接コンタクト（短首圧接コンタクト２ａと長首圧接コンタクト２ｂ）２は、図６（Ａ），（Ｂ）に示すように、ケーブルハウジング１ｂとともに、２本のケーブル３をコネクタハウジング１ａの前記圧接部２ｃにそれぞれ圧接すると、２本のケーブル３が左右平面（水平面）内に併設され、図７（Ａ）に示すように、ケーブルデータム平面（複数のケーブル３の中心線ａを含む基準面）が左右の平面となる。
【００２３】
また、圧接コンタクト２（短首圧接コンタクト２ａと長首圧接コンタクト２ｂ）の接続部２ｅにそれぞれ相手方のコンタクト（図示せず）が挿入されると、前後方向に当該コンタクトが挿入され、且つ、左右方向に併設される。よって、図７（Ａ）に示すように、コンタクトデータム平面（複数のコンタクトの中心線ｂを含む基準面）は左右の平面となる。こうして、前記ケーブルデータム平面と前記コンタクトデータム平面とが平行となる。
【００２４】
この一実施例では、図５（Ａ），（Ｂ）に示すように、圧接コンタクト２における接続部２ｅは、コンタクト片２ｈの接続面が、コンタクトデータム平面と直交する方向において対向配置にされている。なお、圧入部２ｄの形状において、コネクタハウジング１ａとのコンタクト取付関係で支障が無ければ、平行する方向において対向配置にしても良い。
【００２５】
このように、デイジーチェーン用圧接コネクタ１は、前記圧接コンタクト２における圧接部２ｃに圧接されるケーブル３のケーブルデータム平面（複数のケーブル３の中心線ａを含む基準面）と、前記圧接コンタクト２における接続部２ｅに挿入・嵌合される相手方コンタクトの併設する面を含むコンタクトデータム平面（複数のコンタクトの中心線ｂを含む基準面）とが平行になるように、前記圧接コンタクト２の圧接部２ｃと接続部２ｅとが形成されているのである。これによって、図４に示すように、デイジーチェーン用圧接コネクタ１の背が低くなり低背化が可能となる。
【００２６】
以上のように形成する本発明に係るデイジーチェーン用圧接コネクタ１によれば、図６（Ａ），（Ｂ）と、図７（Ａ），（Ｂ）とに示すように、プリント基板４の内部基板上にデイジーチェーン用圧接コネクタ１を配置して、ケーブル３をハーネス化できる。
【００２７】
更に、デイジーチェーン用圧接コネクタ１の低背化により、ケーブル３のプリント基板４表面からの高さが低くなり、従来例を示す図１１（Ａ）において、垂直嵌合状態のケーブル３の高さＬ１と比べると、本発明では図７（Ａ）に示すように、ケーブル３の高さがＬ２となって飛躍的に低くすることができる。
【００２８】
また、図８（Ａ），（Ｂ）に示すように、プリント基板４の端面４ａにおいても、ケーブル３のハーネス化が可能である。こうして、ケーブル３が従来の図１１（Ｂ）に示すように、ケーブル３が余分に湾曲してハーネス化されているのに対して、本発明に係る実施例では、図８（Ａ），（Ｂ）に示すように、無駄なく余分なケーブルを使用しないので、コスト低減となる。
【産業上の利用可能性】
【００２９】
本発明に係るデイジーチェーン用圧接コネクタ１と圧接コンタクト２は、低背化が要請される電子機器に、信号用・電源用として広く適用できるものである。
【符号の説明】
【００３０】
１          デイジーチェーン用圧接コネクタ、    １ａ    コネクタハウジング、
１ｂ        ケーブルハウジング、                １ｃ    ケーブル嵌合部、  
２          圧接コンタクト、                    ２ａ    短首圧接コンタクト、
２ｂ        長首圧接コンタクト、                ２ｃ    圧接部、
２ｄ        圧入部、                            ２ｅ    接続部、    
２ｆ        圧入スポット、                      ２ｇ    圧接刃、
２ｈ        コンタクト片、  
３          ケーブル、
４          プリント基板、                      ４ａ    端面、
１１        従来のデイジーチェーン用圧接コネクタ、
１２        圧接コンタクト、                    １２ａ  圧接部、
１２ｂ      圧入部、                            １２ｃ  接触部。
【図１】
2014220142.tif 000003
【図２】
2014220142.tif 000004
【図３】
2014220142.tif 000005
【図４】
2014220142.tif 000006
【図５】
2014220142.tif 000007
【図６】
2014220142.tif 000008
【図７】
2014220142.tif 000009
【図８】
2014220142.tif 000010
【図９】
2014220142.tif 000011
【図１０】
2014220142.tif 000012
【図１１】
2014220142.tif 000013